(57)【特許請求の範囲】
【請求項１】
未露光のフィルムを予め装填したレンズ付きフィルムユニットをシート材を用いて筒状に包囲した後、該シート材の端部内面を対向させて連続的に接合した第１接合部と、前記レンズ付きフィルムユニットの外方両端に位置する前記第１接合部を含む筒状のシート材を平坦に押圧して平坦部を設け、該平坦部の所定の部分にて前記第１接合部を横切って帯状に接合した第２接合部とにより、前記レンズ付きフィルムユニットを気密状態に包装し、包装された前記レンズ付きフィルムユニットに対して前記第２接合部より外方に位置する前記平坦部に少なくとも一部が接合されていない吊り下げ用孔を形成したことを特徴とするレンズ付きフィルムユニットの包装体。
【発明の詳細な説明】
【０００１】
【発明の属する技術分野】
未露光のフィルムを予め装填したレンズ付きフィルムユニットを包装する包装体に関する。
【０００２】
【従来の技術】
レンズ付きフィルムユニットは、未露光フィルムをパトローネからリールに巻き取った状態で出荷され、使用者が撮影の度に露光済のフィルムを１駒ずつパトローネ内に巻き取った後、そのまま現像及びプリントのため写真店に依頼する。ラボでは写真店から送られたレンズ付きフィルムユニットからフィルムを取り出すことになるが、現像処理工程を考慮して、全てのフィルムをパトローネ内に巻き取らず、一部をパトローネの外部に残す構成が好ましい。また、使用者によっては全駒撮影せず、数駒を残して現像依頼することもある。即ち、このときはフィルムの一部はリールに残されて巻かれている。
【０００３】
このようなフィルムをパトローネと共に容易に取り出すことができるように、フィルムを光密に被覆する後カバーを屈曲して一端より開口させることにより、パトローネの部分だけでなく、リールの近くまで開口可能に構成されたレンズ付きフィルムユニットが知られている。このようなレンズ付きフィルムユニットは、後カバー内部における屈曲する部分に段差等を設けて応力集中するようにし、後カバーの屈曲が容易なように形状されている。
【０００４】
一方、レンズ付きフィルムユニットは、湿気等によるフィルムの変質を防止するため、防湿性の包装体に覆われて出荷されている。この包装体は完成されたレンズ付きフィルムユニットを包み、両端を開口した筒状にシールした後、更に両端をシールして気密状態にしたものであり、通常は一端のシール部に設けた吊り下げ用孔を利用して、カメラ店等の店頭に吊り下げて陳列される。
【０００５】
【発明が解決しようとする課題】
図１は従来のレンズ付きフィルムユニットを後方から見た斜視図である。
【０００６】
図示していないユニット本体には各種の撮影機構が搭載され、後カバー１と前カバー２とにより被覆されている。また、前記ユニット本体には予め製造工程で未露光のフィルムが装填されているが、後カバー１によりフィルムが装填されている部分が光密に保持されている。また、後カバー１と前カバー２の一部はシート状の部材から形成されたシートカバー３により更に被覆されている。後カバー１や前カバー２は内部構造により外表面に凹部や貫通孔が生じてしまうが、シートカバー３はこれらの凹部や貫通孔を隠す働きをしていると共に、外表面にはレンズ付きフィルムユニットの商品名や簡単な取扱説明等が印刷されている。
【０００７】
撮影が終了したレンズ付きフィルムユニットは、ラボにてフィルムを取り出すことになるが、図１の例では治具を用いて後カバー１の右側面１ａを引っかけ、屈曲し易いように形成された後カバー１の屈曲部１ｂを支点として後カバー１を図２の如く開口させる。
【０００８】
なお、図３に後カバー１を内面から見た図を示すが、後カバー１は１ｃ，１ｄ，１ｅ，１ｆの如き段差や切り欠きを有しており、応力集中により屈曲部１ｂにて容易に屈曲するように形成されている。
【０００９】
図２の如く後カバー１を屈曲させて右端１ａより開口させると、シートカバー３は稜線３ａ，３ｂに沿って、後カバー１の屈曲部１ｂに相当する位置３ｃまで破断される。なお、シートカバー３の稜線３ａ，３ｂには破断が容易なように、ミシン目が形成されている。
【００１０】
しかしながら、シートカバー３の稜線３ａ，３ｂが端部３ｄ，３ｅより同時に破断開始するので、破断に要する力が２箇所に分散され大きな力を加えないと破断され難い。
【００１２】
次に、従来のレンズ付きフィルムユニットの包装体の問題点について説明する。
【００１３】
従来のレンズ付きフィルムユニットは、図４に示す形状に包装されて出荷される。包装体２０は、完成されたレンズ付きフィルムユニットを防湿性のシート材で包み、両端を開口した筒状にヒートシールする。このシール部を第１接合部２０ａと称す。続いて、両端をヒートシールして気密状態にするが、この接合部を第２接合部２０ｂと称す。その後、第２接合部２０ｂの一方に、吊り下げ用孔２０ｃを穿設し、カメラ店等の店頭にてフック等を吊り下げ用孔２０ｃに通して、包装体２０を吊り下げて陳列する。
【００１４】
しかし、従来の包装体２０は吊り下げ用孔２０ｃの周囲が全て第２接合部２０ｂとしてヒートシールされているので、乱暴な取扱をされる等、何らかな理由で吊り下げ用孔２０ｃに亀裂が入ると、ヒートシールされた表裏２枚とも同時に裂けてしまって、吊り下げに支障をきたすことがある。
【００１５】
本発明はかかる問題に鑑みてなされたものであり、吊り下げに支障をきたすことがない吊り下げ用孔を設けたレンズ付きフィルムユニットの包装体を提案することを目的とする。
【００１７】
【課題を解決するための手段】
上記目的は、未露光のフィルムを予め装填したレンズ付きフィルムユニットをシート材を用いて筒状に包囲した後、該シート材の端部内面を対向させて連続的に接合した第１接合部と、前記レンズ付きフィルムユニットの外方両端に位置する前記第１接合部を含む筒状のシート材を平坦に押圧して平坦部を設け、該平坦部の所定の部分にて前記第１接合部を横切って帯状に接合した第２接合部とにより、前記レンズ付きフィルムユニットを気密状態に包装し、包装された前記レンズ付きフィルムユニットに対して前記第２接合部より外方に位置する前記平坦部に少なくとも一部が接合されていない吊り下げ用孔を形成したことを特徴とするレンズ付きフィルムユニットの包装体により、達成される。
【００１８】
【発明の実施の形態】
【００１９】
図５はレンズ付きフィルムユニットを後方から見た斜視図、図６は装填部材であるフィルムを取り出すために外装部材である後カバーを開放させた図である。
【００２０】
図５において、後カバー１と前カバー２は図１乃至図３で説明した従来のものと同一である。また、シートカバー５も前述のシートカバー３と略同一に形成されている。しかし、本発明のシートカバー５においては破断される２か所の稜線５ａ，５ｂの長さが相違する。即ち、後カバー１の屈曲部１ｂに相当するシートカバー５の屈曲部５ｃから破断開始する端部５ｄ，５ｅまでの長さが相違する。なお、前述と同様に稜線５ａ，５ｂにはミシン目が形成されている。
【００２１】
従って、図５の如く後カバー１を屈曲させて右側面１ａより開口させるとき、シートカバー５は先ず稜線５ａの端部５ｄから破断開始し、続いて稜線５ｂの端部５ｅが破断する。このように稜線５ａと稜線５ｂとの破断するタイミングが異なるので、最初は稜線５ａの端部５ｄを破断する力だけでよく、従来技術と比較して２倍の力を端部５ｄに掛けることができる。言い換えれば、従来技術の１／２の力で破断開始させることができる。なお、シートカバーの破断に際しては、端部より破断開始するときのみに大きな力を要し、破断開始した後は僅かな力で済むので、シートカバー５の場合、稜線５ｂの端部５ｅを破断する状態になっても２倍の破断力を要せず、端部５ｅに対する破断力と稜線５ａに沿った慣性による小さな破断力との和のみでよい。
【００２２】
また、上記の実施の形態では、シートカバー５の下方の稜線５ａを上方の稜線５ｂより長くしたが、逆にしてもよいことは言うまでもない。
【００２３】
更に、後カバーの幅がレンズ付きフィルムユニットの幅より小さいときは、シートカバーの背面に後カバーの幅に相当する２本の平行なミシン目を設け、このミシン目の破断長さを前述の如く変えてもよい。
【００２４】
なお、シートカバー５の材質は紙が一般的であるが、ＰＳ等の樹脂製のシートを用いてもよい。
【００２５】
更に、本実施の形態においては、後カバーから装填部材としてのフィルムを取り出す構成で説明したが、これに限定されるものではなく、後カバーから装填部材として電池を取り出す場合も全く同一の構成とすることができる。
【００２６】
また、外装部材としては後カバーでなく、前カバーでもよい。
【００２７】
次に、レンズ付きフィルムユニットの包装体を図７乃至図１２により説明する。
【００２８】
本包装体に用いられるシート材は防湿性のシート材であり、例えば７μｍ厚のアルミ箔の両面に１２μｍ厚のＰＥＴ材（ポリエチレンテレフタレート）と７０μｍ厚のＥＶＡ材（エチレン酢酸ビニール）を接着材を用いてサンドイッチ状にドライラミネートしたものであって、ＰＥＴ材の表面に商品名等が印刷され、その印刷面を外側に用いる。
【００２９】
このシート材を用いて包装体３０を形成する手順を図７及び図９により説明する。
【００３０】
図７の如く、長尺のシート材の上にレンズ付きフィルムユニット１０を載置し、両側のシート材で筒状にレンズ付きフィルムユニット１０を包囲し、シート材の両端部内面を互いに対向させて縞目状に連続的に押圧・加熱してヒートシールする。このヒートシールされて接合された部分を第１接合部３０ａと称す。
【００３１】
続いて、図８の如く、レンズ付きフィルムユニット１の外方両端に位置する第１接合部３０ａを含む筒状のシート材を平坦にする。この平坦な部分を平坦部３０ｂと称す。続いて、図９の如く平坦部３０ｂの所定の部分において、第１接合部３０ａを横切って帯状に第１接合部３０ａと同様にヒートシールするが、これを第２接合部３０ｃと称する。このようにして、レンズ付きフィルムユニット１０は気密状態に包装され、１パック毎に切断される。
【００３２】
なお、ヒートシールの縞目のピッチは約１ｍｍで、百数十度の温度でヒートシールされる。
【００３３】
その後、包装されたレンズ付きフィルムユニット１０に対して第２接合部３０ｃより外方に位置する平坦部３０ｂに吊り下げ用孔３０ｄを穿設する。
【００３４】
この吊り下げ用長孔３０ｄの穿設のときは、平坦部３０ｂと共に第１接合部３０ａも切断してもよいし、第１接合部３０ａにかからない位置で平坦部３０ｂのみを切断してもよい。
【００３５】
このようにして、図９に示すようなレンズ付きフィルムユニットの包装体が完成し、カメラ店等の店頭で吊り下げ用孔３０ｄにフック等により吊り下げられて陳列される。なお、包装体３０の下部の平坦部３０ｂは不要のため、折り曲げられている。
【００３６】
更に、第２接合部３０ｃとは別に平坦部３０ｂをヒートシールした第３接合部３０ｅを設けてもよい。
【００３７】
この１例を図１０乃至図１２に示すが、図１０は第２接合部３０ｃと平行に第３接合部３０ｅを設けた図、図１１は第２接合部３０ｃと平行及び直交して第３接合部３０ｅを設けた図、図１２は第２接合部３０ｃと直交して第３接合部３０ｅを設けた図である。
【００３８】
なお、図１２の場合は、第３接合部は左右の何れか一方でもよい。
【００３９】
また、実際のヒートシール工程においては、第２接合部３０ｃと第３接合部３０ｅとが同時に接合されることになる。
【００４１】
【発明の効果】
本発明のレンズ付きフィルムユニットの包装体によれば、何らかの理由で吊り下げ用孔に亀裂が入る状態になったとしても、吊り下げ用孔の少なくとも一部は接合されていないので、シート材の表裏の２枚ともに亀裂が入ることは少なく、吊り下げに支障をきたすことは生じない。また、上方が接合されていない場合には、レンズ付きフィルムユニットを取り出すために包装体を破る作業が容易になる。
【図面の簡単な説明】
【図１】従来のレンズ付きフィルムユニットを後方から見た斜視図である。
【図２】従来のレンズ付きフィルムユニットの後カバーを開放した斜視図である。
【図３】後カバーを内面から見た図である。
【図４】従来のレンズ付きフィルムユニットの包装体の図である。
【図５】本実施の形態のレンズ付きフィルムユニットを後方から見た斜視図である。
【図６】本実施の形態のレンズ付きフィルムユニットの後カバーを開放した斜視図である。
【図７】レンズ付きフィルムユニットをシート材で包囲した図である。
【図８】包装体の平坦部の図である。
【図９】本実施の形態における完成した包装体の斜視図である。
【図１０】第３接合部を加えた図である。
【図１１】第３接合部を加えた図である。
【図１２】第３接合部を加えた図である。
【符号の説明】
１  後カバー
１ｂ  屈曲部
３，５  シートカバー
３ａ，３ｂ，５ａ，５ｂ  稜線
１０  レンズ付きフィルムユニット
２０  包装体
２０ａ，３０ａ  第１接合部
２０ｂ，３０ｃ  第２接合部
２０ｃ，３０ｄ  吊り下げ用孔
３０ｂ  平坦部
３０ｅ  第３接合部
【図１】
0003619918.tif 000002
【図２】
0003619918.tif 000003
【図３】
0003619918.tif 000004
【図４】
0003619918.tif 000005
【図５】
0003619918.tif 000006
【図６】
0003619918.tif 000007
【図７】
0003619918.tif 000008
【図８】
0003619918.tif 000009
【図９】
0003619918.tif 000010
【図１０】
0003619918.tif 000011
【図１１】
0003619918.tif 000012
【図１２】
0003619918.tif 000013